(57)【要約】【課題】手動補給と自動補給の双方に対応可能なホッパー装置を提供する。【解決手段】ホッパータンク４２の傾斜した側面にはメダル排出用の矩形のフロー孔５１が設けられている。フロー孔５１には、フロー孔５１の一部を閉塞する切換手段として矩形のスライド体５２が１点鎖線矢印で示す方向にスライド自在に取付けられている。このスライド体５２によって、フロー孔５１の一部を閉塞し、上位側の上位フロー孔と下位側の下位フロー孔とを択一的に使用可能に切り換えるようになっている。【選択図】        図３
2005006842.tif 000002
【特許請求の範囲】
【請求項１】
遊技機の筐体内部に設けられ、遊技の結果に基づき遊技者にメダルを払い出す遊技機のホッパー装置において、
遊技機の筐体内に配設され内部にメダルを貯留するホッパータンクと、
前記ホッパータンクからオーバーフローする前記メダルを回収する回収手段と、前記ホッパータンクの側面の上位位置に形成された前記回収手段への前記メダルの流出用の上位フロー孔と、
前記ホッパータンクの側面の下位位置に形成された前記回収手段への前記メダルの流出用の下位フロー孔と、
前記上位フロー孔及び前記下位フロー孔を選択的に使用可能に切り換える切換手段とを備えていることを特徴とする遊技機のホッパー装置。
【請求項２】
前記切換手段が、前記両フロー孔のうち一方を閉塞状態にし、かつ、他方を開放状態にするものであることを特徴とする請求項１に記載の遊技機のホッパー装置。
【請求項３】
前記切換手段が、前記上位フロー孔を開放状態に保持しつつ、前記下位フロー孔を閉塞状態と開放状態に切り換えるものであることを特徴とする請求項１に記載の遊技機のホッパー装置。
【請求項４】
前記切換手段が、前記上位フロー孔と前記下位フロー孔との間をスライド可能に設けられて、前記両フロー孔のいずれか一方を閉塞するスライド体と、前記スライド体をガイドするガイド部とを備えていることを特徴とする請求項２に記載の遊技機のホッパー装置。
【請求項５】
前記切換手段が、前記下位フロー孔にスライド可能に設けられて、前記下位フロー孔を開閉自在に閉塞するスライド体と、前記スライド体をガイドするガイド部とを備えていることを特徴とする請求項３に記載の遊技機のホッパー装置。
【請求項６】
前記切換手段が、前記両フロー孔付近に回動可能に設けられて、前記両フロー孔のいずれか一方を閉塞し、かつ他方を開放する回動板と、前記ホッパータンクに設けられ、前記回動板の一端部を回動可能に支持する支持部とを備えていることを特徴とする請求項２に記載の遊技機のホッパー装置。
【請求項７】
前記切換手段が、前記下位フロー孔付近に回動可能に設けられて、前記下位フロー孔を開閉する回動板と、前記ホッパータンクに設けられ、前記回動板の一端部を回動可能に支持する支持部とを備えていることを特徴とする請求項３に記載の遊技機のホッパー装置。
【発明の詳細な説明】
【０００１】
【発明の属する技術分野】
この発明は、遊技機の筐体内部に設けられ、遊技の結果に基づき遊技者にメダルを払い出す遊技機のホッパー装置に関する。
【０００２】
【従来の技術】
一般に、遊技機であるスロットマシンでは、筐体内にホッパー装置が設けられている（例えば、特許文献１参照）。
【０００３】
この種のホッパー装置は、例えばスロットマシンの筐体内に配設され内部にメダルを貯留するホッパータンクと、このホッパータンクの下方に配設されたホッパーモータと、ホッパータンク内の底部にホッパータンクの底面をその中心軸が貫通して配設されたホッパーモータの回転に連動し中心軸が回転するディスクと、このディスクに形成されたメダル嵌挿用の複数の凹部と、ホッパータンクの下部に形成されたメダル排出用のメダル通路とを備え、ディスクの回転に伴い、メダル通路から筐体に形成されたメダル払出口に向けて凹部に嵌挿したメダルを排出するように構成されている。
【０００４】
スロットマシンによる遊技中に、入賞が短期間のうちに繰返して発生した場合、例えば数百枚のメダルが連続して払出されることになり、ホッパータンクに貯留されているメダル数が不足するので、ホッパータンクにメダルを補給しなければならない（例えば、特許文献２参照）。ホッパータンクに貯留されているメダル数の不足は、ホッパータンク内に取り付けられたメダル数の残量検知のためのセンサーからの信号によって知ることができ、ホッパータンクへのメダルの補給は手動式または自動式の方法によって行われる。センサーによってホッパータンクに貯留されているメダル数の不足が検知されたとき、自動式による方法では、遊技場に配設されているメダル自動供給装置によって自動的にホッパータンクにメダルが補給され（例えば、特許文献３参照）、手動式による方法では、従業員がスロットマシンの前面パネルを開けてホッパータンクにメダルを補給する。
【０００５】
また、遊技者が遊技中にスロットマシンに投入したメダルも上記のホッパータンクに貯留される。遊技中、スロットマシンから遊技者に払出されるメダルの数より、遊技者がスロットマシンに投入するメダルの数の方が多い状態が長期間続いたとき、ホッパータンクはメダルで満杯状態になってしまい、上記のホッパーモータ等への負担となる。このような状態を防ぐために、通常、ホッパータンクにはメダル排出用の切り欠き（または孔）が設けられ、一定量を超えるメダルはホッパータンクから排出され、ホッパータンク内のメダルは一定量以下に保持されるようになっている。
【０００６】
【特許文献１】
特開平１１−２５３０９号公報（段落［０００７］〜［０００９］）
【特許文献２】
特開平８−１０７９５８号公報（段落［０００２］〜［０００５］）
【特許文献３】
特開平６−０３１０５０号公報（段落［０００２］）
【０００７】
【発明が解決しようとする課題】
しかし、上記した自動式のメダル補給の場合、メダルがホッパータンクに満杯の状態になったとき、メダルの残量を検知するためのセンサが障害となり、ホッパータンク内でのメダルの流れが悪くなり、メダル詰りが起きやすくなるという問題があり、自動式のメダル補給ではホッパータンクのメダルの貯留容量を出来るだけ小さくするのが望ましい。一方、手動式のメダル補給の場合、メダル補給を行うために遊技者に遊技を中断してもらわねばならず、遊技者にとって煩わしい。そこで、遊技中断の回数を減らすために、メダル排出用の切り欠き（穴）は、ホッパーモータに負担がかからない程度で、可能な限り多くのメダルが貯蓄できる位置に設けられていることが望ましい。
【０００８】
そこで、本発明は、手動補給と自動補給の双方に対応可能なホッパー装置を提供することを目的とする。
【０００９】
【課題を解決するための手段】
上記した目的を達成するために、本発明は、遊技機の筐体内部に設けられ、遊技の結果に基づき遊技者にメダルを払い出す遊技機のホッパー装置において、遊技機の筐体内に配設され内部にメダルを貯留するホッパータンクと、前記ホッパータンクからオーバーフローする前記メダルを回収する回収手段と、前記ホッパータンクの側面の上位位置に形成された前記オーバーフロータンクへの前記メダルの流出用の上位フロー孔と、前記ホッパータンクの側面の下位位置に形成された前記オーバーフロータンクへの前記メダルの流出用の下位フロー孔と、前記上位フロー孔及び前記下位フロー孔を選択的に使用可能に切り換える切換手段とを備えていることを特徴としている（請求項１）。
【００１０】
このような構成によれば、切換手段により、上位、下位フロー孔をそれぞれ閉塞状態、開放状態に切り換えることにより、ホッパータンクのメダル貯留量は少なく設定される。一方、これとは逆に、上位、下位フロー孔をそれぞれ開放状態、閉塞状態に切り換えることにより、ホッパータンクのメダル貯留量は多く設定される。よって、自動補給、手動補給に応じて、切換手段により、両フロー孔のうちどちらか一方を使用可能にすることで、ホッパータンクのメダルの貯留容量を変更することができる。その結果、ホッパータンクのメダルの貯留容量を、実際に遊技機を設置する場所で採用する補給方式に応じて、現場にて容易に可変設定することができる。
【００１１】
このとき、請求項２に記載のように、前記切換手段が、前記両フロー孔のうち一方を閉塞状態にし、かつ、他方を開放状態にするものであってもよく、あるいは、請求項３に記載のように前記切換手段が、前記上位フロー孔を開放状態に保持しつつ、前記下位フロー孔を閉塞状態と開放状態に切り換えるものであってもよい。
【００１２】
また、本発明は、前記切換手段が、前記上位フロー孔と前記下位フロー孔との間をスライド可能に設けられて、前記両フロー孔のいずれか一方を閉塞するスライド体と、前記スライド体をガイドするガイド部とを備えていることを特徴としている（請求項４）。
【００１３】
このような構成によれば、ホッパータンクのメダル貯留容量の大小を設定するために、スライド体をスライドすることにより、両フロー孔を択一的に開放することができる。よって、請求項１に記載の発明と同様、ホッパータンクのメダル貯留容量を現場にて容易に可変設定することができる。
【００１４】
また、本発明は、前記切換手段が、前記下位フロー孔にスライド可能に設けられて、前記下位フロー孔を開閉自在に閉塞するスライド体と、前記スライド体をガイドするガイド部とを備えていることを特徴としている（請求項５）。
【００１５】
このような構成によれば、ホッパータンクのメダル貯留容量の大小を設定するために、スライド体をスライドすることにより、下位フロー孔を開閉することができる。よって、請求項１に記載の発明と同様、ホッパータンクのメダル貯留容量を現場にて容易に可変設定することができる。
【００１６】
また、本発明は前記切換手段が、前記両フロー孔付近に回動可能に設けられて、前記両フロー孔のいずれか一方を閉塞し、かつ他方を開放する回動板と、前記ホッパータンクに設けられ、前記回動板の一端部を回動可能に支持する支持部とを備えていることを特徴としている（請求項６）。
【００１７】
このような構成によれば、ホッパータンクのメダル貯留容量の大小を設定するために、回動板を回動することにより、両フロー孔を択一的に開放することができる。よって、請求項１に記載の発明と同様、ホッパータンクのメダル貯留容量を現場にて容易に可変設定することができる。
【００１８】
また、本発明は前記切換手段が、前記下位フロー孔付近に回動可能に設けられて、前記下位フロー孔を開閉する回動板と、前記ホッパータンクに設けられ、前記回動板の一端部を回動可能に支持する支持部とを備えていることを特徴としている（請求項７）。
【００１９】
このような構成によれば、ホッパータンクのメダル貯留容量の大小を設定するために、回動板を回動することにより、下位フロー孔を開閉することができる。よって、請求項１に記載の発明と同様、ホッパータンクのメダル貯留容量を現場にて容易に可変設定することができる。
【００２０】
【発明の実施の形態】
（第１実施形態）
この発明の第１実施形態について図１ないし図８を参照して説明する。但し、図１及び図２はスロットマシンの正面図及び筐体内部の正面図、図３はホッパータンク付近の正面図、図４は図３の１点鎖線による丸囲みの部分の右側面から見た断面図、図５は図４の１点鎖線による丸囲みの部分の拡大図、図６は図３の１点鎖線による丸囲みの部分の平面図、図７はスライド体５２の斜視図、図８はホッパー孔の斜視図である。
【００２１】
本実施形態におけるスロットマシンは、例えば図１及び図２に示すように構成されている。即ち、図１及び図２に示すように、スロットマシン１では、筐体３の前面開口が前面パネル５により開閉自在に閉塞され、この前面パネル５のほぼ中央高さの位置に操作板７が配設されると共に、この操作板７の上方に正面板９が配設されている。このとき、前面パネル５の左端部がヒンジにより筐体３に回転自在に支持されて、筐体３の前面全体が前面パネル５により覆われ閉塞されている。
【００２２】
そして、この正面板９には３個のリール窓１１が並設され、各リール窓１１の内側には左、中、右の各回転リール１２Ｌ、１２Ｍ、１２Ｒが配置され、右端のリール窓１１の横には、ゲームの演出用画面を表示する液晶ディスプレイ１３が配設されており、各リール窓１１からは、各リール１２Ｌ、１２Ｍ、１２Ｒの図柄が各々３個ずつ見えるように設定されている。
【００２３】
更に、この操作板７には、クレジットされているメダルの枚数を減じてメダル投入に代えるためのベットスイッチ１５、各リールの回転を開始させるためのスタートレバー１７、第１ないし第３ストップスイッチ１９、２１、２３、及び、メダル投入口２５や貯留メダルを払出すための精算スイッチ２７が設けられている。また、正面板９には入賞ラインが描かれると共に、入賞ライン中の有効ラインを表示する有効表示ランプ３１、ボーナスゲームの状態などを表示する種々の演出表示ランプ３３、クレジットメダルの枚数を表示するメダル枚数表示器３５が正面板９に配設され、操作板７の下方にはメダル払出口３７やメダル受け３９が設けられている。また、図２に示すように筐体３内部の各リール１２Ｌ、１２Ｍ、１２Ｒの下方にはホッパータンク４２を備えたホッパー装置４１が配設されており、図３はホッパータンク付近の正面図である。
【００２４】
以下に、ホッパー装置４１の構成について説明する。ホッパータンク４２の傾斜した側面にはメダル排出用の矩形のフロー孔５１が設けられている（図３、図６参照）。フロー孔５１には、フロー孔５１の一部を閉塞する可動蓋体として矩形のスライド体５２がスライド自在に取付けられている。このスライド体５２は、特に図４、図７に示すように、スライド方向を表す図６中の１点鎖線矢印に直交する方向のフロー孔５１の幅より若干長尺の長方形の平板状の基部５２１と、基部５２１の下面に一体形成された短い四角筒状の補強部５２２と、基部５２１の下面であって補強部５２２の両側に一体形成された一対のフック５２３とによって構成されている。尚、図示省略されているが、フロー孔５１の下方にはフロー孔５１から溢れ出るメダルを受けるオーバーフロータンクが配設されている。また、メダルを自動補給する場合に備えて、メダルにより導通状態となってホッパータンク４２内のメダル貯留量を検出するメダルセンサがホッパータンク４２に取付けられている。
【００２５】
スライド体５２は、特に図４及び図５に示すように、フック５２３によってホッパータンク４２から、ホッパータンク４２の内側方向に抜けないように取付けられており、上記した、基部５２１の長軸方向の長さがフロー孔５１の幅より長いため、スライド体５２はホッパータンク４２の外側へも脱落しない。このとき、フック５２３のツメ５２４がスライド体５２のガイドとなり、図６中に１点鎖線矢印で示す方向にスライド体５２がスライドでき、フロー孔５１の一部を閉塞して上位フロー孔と下位フロー孔とを択一的に使用可能に切り換えるようになっている。ここで、スライド体５２が本発明における切換手段に相当する。
【００２６】
また、図６及び図８に示すように、フロー孔５１の内周面の対向する位置に二対の位置決め用突起５３が形成されている。このとき、スライド体５２がフロー孔５１の下位側にスライドして上位フロー孔が開放されるとともに下位フロー孔が閉塞されている状態において、両フック５２３のすぐ上位側に一対の突起５３が位置するように形成されている。一方、スライド体５２がフロー孔５１の上位側にスライドして上位フロー孔が閉塞されるとともに下位フロー孔が開放されている状態において、両フック５２３のすぐ下位側にもう一対の突起５３が位置するように形成されている。
【００２７】
そして、スライド体５２をスライドさせる場合、スライド体５２にスライド方向への外力を加えることによって、両フック５２３が突起５３をそれぞれ乗り越える際に内方へ変位するため、スライド体５２をスライドさせることができるようになっている。一方、スライドが完了すると、突起５３がストッパーとして機能し、スライド体５２にスライド方向への外力を加えない限り、スライド体５２が勝手にスライドすることが防止される。
【００２８】
このようなホッパー装置４１にメダルを自動補給する場合には、図３，６中の１点鎖線に示すように、スライド体５２をフロー孔５１の上位側にスライドさせ、上位フロー孔を閉塞するとともに下位フロー孔を開放し、ホッパータンク４２の貯留容量を小さく設定する。入賞が長時間なかった場合は、遊技者によってスロットマシンに投入されたメダルは、開放状態の下位フロー孔の位置まではホッパータンク４２内に貯留されるが、それ以上の量のメダルは下位フロー孔から排出される。一方、ビッグボーナス等の大当りが出た場合は、ホッパータンク４２内のメダルが一気に払い出されるため、メダルセンサによりホッパータンク４２内のメダル貯留量の減少が検知され、その都度、メダルが自動供給される。
【００２９】
ところで、メダルを手動補給する場合には、図３，６中の実線に示すように、スライド体５２をフロー孔５１の下位側にスライドさせ、上位フロー孔を開放するとともに下位フロー孔を閉塞し、ホッパータンク４２の貯留容量を大きく設定する。こうすると、ビッグボーナス等の大当りが出た場合でも、ホッパータンク４２には多くのメダルが貯留されているので、メダルの払い出しによって、ホッパータンク４２内のメダルがなくなることもなく、メダル補給のために遊技者に頻繁に遊技を中断させて、遊技者を煩わせることがない。
【００３０】
従って、第１実施形態によれば、スライド体５２をスライドさせることによって、ホッパータンク４２のメダル貯留容量を大、小に切り換え設定することができるので、自動補給、手動補給の両方のメダル補給方式に対応することができる。また、ホッパータンク４２のメダル貯留容量を、実際に遊技機を設置するパチンコホールで採用する補給方式に応じて、現場にて容易に可変設定することができて簡便である。また、バネ性を有するフック５２３と突起５３の組合わせにより、スライド体５２をスライドした状態に確実に保持することができる。
【００３１】
このとき、第１実施形態では、スライド体５２は、フロー孔５１の上位側と下位側とを択一的に開放する位置に取付けられた場合について説明したが、上位フロー孔は常時開放状態に保持したまま、下位側の下位フロー孔を上記したスライド体５２と同様のスライド機構からなる切換手段により開閉できるようにしてもよい。
【００３２】
（第２実施形態）
次に、この発明の第２実施形態について図９ないし図１４を参照して説明する。但し、スロットマシンの基本的な構成は上記した第１実施形態と同じであり、重複を避けるために、以下では主として第１実施形態と相違する点について説明する。そのとき、図１ないし図８も参照し、図１ないし図８と同一符号は同一もしくは相当するものを示す。
【００３３】
なお、図９はホッパータンク付近の正面図、図１０は図９の１点鎖線による丸囲みの部分の右側面から見た断面図、図１１は図９の１点鎖線による丸囲みの部分の拡大図、図１２は図９の１点鎖線による丸囲みの部分の平面図、図１３はフロー孔の斜視図、図１４は回動板の斜視図である。
【００３４】
本実施形態では、上記したスライド体５２に代え、上位側及び下位側を択一的に使用可能に開放する回動板６２を設けた点が第１実施形態と相違する。この回動板６２は特に図１４に示すように、矩形平板状をなし、その一側の両端には円柱状の支軸６２１が外方に突出して一体的に形成されている。一方、このような回動板６２を回動可能に支持するために、特に図１３に示すように、フロー孔５１のほぼ中央部に回動板６２の両支軸６２１を支持する円筒状の支持部６２２が形成されている。こうして、図９、図１１の１点鎖線矢印の方向に回動板６２が回動自在に支持されている。
【００３５】
ところで、回動板６２の幅である両支軸６２１間の寸法は、フロー孔５１の幅である両支持部６２２間の寸法よりも若干小さく設定されている。そして、図９〜１３に示すようにフロー孔５１の下側にはその内周に沿って矩形のフランジ部６３がホッパータンク４２に一体形成されている。これにより、回動板６２をフロー孔５１の上位側または下位側に回動することで、上位フロー孔及び下位フロー孔とを択一的に開放状態にして使用する事ができる。ここで、回動板６２、両支持部６２２及びフランジ部６３により、本発明における切換手段が構成されている。
【００３６】
このようなホッパー装置４１にメダルを自動補給する場合には、回動板６２をフロー孔５１の上位側に回動させ、上位フロー孔を閉塞するとともに下位フロー孔を開放し、ホッパータンク４２の貯留容量を小さく設定する。入賞が長時間なかった場合は、遊技者によってスロットマシンに投入されたメダルは、開放状態の下位フロー孔の位置まではホッパータンク４２内に貯留されるが、それ以上の量のメダルは下位フロー孔から排出される。一方、ビッグボーナス等の大当りが出た場合は、ホッパータンク４２内のメダルが一気に払い出されるため、メダルセンサによりホッパータンク４２内のメダル貯留量の減少が検知され、その都度、メダルが自動供給される。
【００３７】
ところで、メダルを手動補給する場合には、回動板６２をフロー孔５１の下位側に回動させ、上位フロー孔を開放するとともに下位フロー孔を閉塞し、ホッパータンク４２の貯留容量を大きく設定する。こうすると、ビッグボーナス等の大当りが出た場合でも、ホッパータンク４２には多くのメダルが貯留されているので、メダルの払い出しによって、ホッパータンク４２内のメダルがなくなることもなく、メダル補給のために遊技者に頻繁に遊技を中断させて、遊技者を煩わせることがない。
【００３８】
従って、第２実施形態によれば、上記した第１実施形態と同様、回動板６２を回動させることによって、ホッパータンク４２のメダル貯留容量を大、小に切り換え設定することができるので、自動補給、手動補給の両方のメダル補給方式に対応することができる。また、ホッパータンク４２のメダル貯留容量を、実際に遊技機を設置するパチンコホールで採用する補給方式に応じて、現場にて容易に可変設定することができて簡便である。さらに、回動板６２はホッパータンク４２の内側で回動するため、フランジ部６３との組合わせにより、メダル補給時に回動板６２が勝手に回動するのを防止することができる。
【００３９】
このとき、第２実施形態では、回動板６２は、フロー孔５１の上位側と下位側とを択一的に開放する位置に取付けられた場合について説明したが、上位フロー孔は常時開放状態に保持したまま、下位側の下位フロー孔を上記した回動板６２と同様の回動機構からなる切換手段により開閉できるようにしてもよい。
【００４０】
なお、本発明は上記した実施形態に限定されるものではなく、その趣旨を逸脱しない限りにおいて上述したもの以外に種々の変更を行うことが可能である。
【００４１】
例えば、切り換え手段は上記した両実施形態の構成に限定されるものではなく、要するにフロー孔５１を上位フロー孔及び下位フロー孔に選択的に使用可能に切り換えることができる構成であればよい。また、フロー孔５１が上位フロー孔と下位フロー孔に分離している場合であっても、本発明を同様に適用することができる。
【００４２】
また、上記した両実施形態では、本発明をスロットマシンに適用した場合について説明したが、本発明はスロットマシン以外のメダルを使用する遊技機にも適用することができて、上記した両実施形態と同等の効果を得ることができるのは勿論である。
【００４３】
【発明の効果】
以上のように、請求項１に記載の発明によれば、切換手段により、上位、下位フロー孔を選択的に使用可能に切り換えることができるため、ホッパータンクのメダルの貯留容量を可変設定することができ、自動補給、手動補給のいずれにも容易に対応することができる。よって、ホッパータンクのメダル貯留容量を、実際に遊技機を設置する場所で採用する補給方式に応じて、現場にて容易に可変設定することができる。
【００４４】
このとき、請求項２に記載のように、切換手段が、両フロー孔のうち一方を閉塞状態にし、かつ、他方を開放状態にするものであってもよく、あるいは、請求項３に記載のように切換手段が、上位フロー孔を開放状態に保持しつつ、下位フロー孔を閉塞状態と開放状態に切り換えるものであってもよい。
【００４５】
また、請求項４に記載の発明によれば、ホッパータンクのメダル貯留容量の大小を設定するために、スライド体をスライドすることにより、両フロー孔を択一的に開放することができる。よって、請求項１に記載の発明と同様、ホッパータンクのメダル貯留容量を現場にて容易に可変設定することができる。
【００４６】
また、請求項５に記載の発明によれば、ホッパータンクのメダル貯留容量の大小を設定するために、スライド体をスライドすることにより、下位フロー孔を開閉することができる。よって、請求項１に記載の発明と同様、ホッパータンクのメダル貯留容量を現場にて容易に可変設定することができる。
【００４７】
また、請求項６に記載の発明によれば、このような構成によれば、ホッパータンクのメダル貯留容量の大小を設定するために、回動板を回動することにより、両フロー孔を択一的に開放することができる。よって、請求項１に記載の発明と同様、ホッパータンクのメダル貯留容量を現場にて容易に可変設定することができる。
【００４８】
また、請求項７に記載の発明によれば、ホッパータンクのメダル貯留容量の大小を設定するために、回動板を回動することにより、下位フロー孔を開閉することができる。よって、請求項１に記載の発明と同様、ホッパータンクのメダル貯留容量を現場にて容易に可変設定することができる。
【図面の簡単な説明】
【図１】この発明の第１実施形態におけるスロットマシンの正面図である。
【図２】この発明の第１実施形態におけるスロットマシンの筐体内部の正面図である。
【図３】この発明の第１実施形態におけるホッパータンク付近の一部破断正面図である。
【図４】図３中の１点鎖線による丸囲み部分の右側面から見た断面図である。
【図５】図４中の１点鎖線による丸囲みの部分の拡大図である。
【図６】図３中の１点鎖線による丸囲みの部分の平面図である。
【図７】この発明の第１実施形態におけるスライド体の斜視図である。
【図８】この発明の第１実施形態におけるフロー孔の斜視図である。
【図９】この発明の第２実施形態におけるホッパータンク付近の一部破断正面図である。
【図１０】図９中の１点鎖線による丸囲みの部分の右側面から見た断面図である。
【図１１】図９中の１点鎖線による丸囲みの部分の丸囲みの部分の拡大図である。
【図１２】図９中の１点鎖線による丸囲みの部分の平面図である。
【図１３】この発明の第２実施形態におけるフロー孔の斜視図である。
【図１４】この発明の第２実施形態における回動板の斜視図である。
【符号の説明】
１      スロットマシン（遊技機）
３      筐体
４１    ホッパー装置
４２    ホッパータンク
５１    フロー孔
５２    スライド体（切換手段）
６２    回動板（切換手段）
６２２  支持部（切換手段）
６３    フランジ部（切換手段）
【図１】
2005006842.tif 000003
【図２】
2005006842.tif 000004
【図３】
2005006842.tif 000005
【図４】
2005006842.tif 000006
【図５】
2005006842.tif 000007
【図６】
2005006842.tif 000008
【図７】
2005006842.tif 000009
【図８】
2005006842.tif 000010
【図９】
2005006842.tif 000011
【図１０】
2005006842.tif 000012
【図１１】
2005006842.tif 000013
【図１２】
2005006842.tif 000014
【図１３】
2005006842.tif 000015
【図１４】
2005006842.tif 000016